(57)【要約】      （修正有）【課題】製造コストを低減し、且つ小型化されたマルチパネル液晶ディスプレイ、及び、マルチパネル液晶ディスプレイの駆動方法を提供する。【解決手段】マルチパネルＬＣＤは、インタフェース回路及びＬＣＤモジュールを含む。インタフェース回路は、第１の画像データを受信して第２の画像データを出力するために用いられる。ＬＣＤモジュールは、タイミングコントローラ、第１のパネルモジュール及び第２のパネルモジュールを含む。タイミングコントローラは第２画像データを受信し、第２画像データに応答して第３の画像データ及び第４の画像データを出力する。第１パネルモジュール及び第２パネルモジュールは、それぞれ、第３画像データ及び第４画像データに応答して第１のフレーム及び第２のフレームを表示する。【選択図】図２
2005352450.tif 000002
【特許請求の範囲】
【請求項１】
マルチパネル液晶ディスプレイ（ＬＣＤ）であって、
第１の画像データを受信し、第２の画像データを出力するインタフェース回路を備え、且つ；
ＬＣＤモジュールを備え、前記ＬＣＤモジュールが、
前記第２画像データを受信し、前記第２画像データに応答して第３の画像データ及び第４の画像データを出力するタイミングコントローラと；
第１のカラーコレクションパラメータ及び第２のカラーコレクションパラメータを出力するためのカラーコレクタと；
第１のＤＣ電流及び第２のＤＣ電流を出力するためのＤＣ−ＤＣパワーコンバータと；
前記第１のＤＣ電流下で動作可能であり、前記第１カラーコレクションパラメータ及び前記第３画像データに応答して第１のフレームを表示する第１のパネルモジュールと；
前記第２のＤＣ電流下で動作可能であり、前記第２カラーコレクションパラメータ及び前記第４画像データに応答して第２のフレームを表示する第２のパネルモジュールとを含むマルチパネル液晶ディスプレイ。
【請求項２】
第３画像データと第４画像データが同一であり、従って第１フレームと第２フレームが実質的に同一である請求項１に記載の液晶ディスプレイ。
【請求項３】
第１カラーコレクションパラメータと第２カラーコレクションパラメータが同一である請求項１に記載の液晶ディスプレイ。
【請求項４】
第１のＤＣ電流と第２のＤＣ電流が同一である請求項１に記載の液晶ディスプレイ。
【請求項５】
第３画像データと第４画像データが異なり、従って第１フレームと第２フレームが異なる請求項１に記載の液晶ディスプレイ。
【請求項６】
タイミングコントローラが、第２画像データに応答して第３画像データ及び第４画像データをそれぞれ出力するための第１のタイミングコントロールユニット及び第２のタイミングコントロールユニットを含む請求項５に記載の液晶ディスプレイ。
【請求項７】
第１のパネルモジュール及び第２のパネルモジュールを有するマルチパネル液晶ディスプレイ（ＬＣＤ）を駆動するための方法であって、
第１の画像データを提供することと；
第１画像データに応答して第２の画像データ及び第３の画像データを提供することと；
第１のカラーコレクションパラメータ及び第２のカラーコレクションパラメータを提供することと；
第１のＤＣ電流及び第２のＤＣ電流を、それぞれ第１ディスプレイパネル及び第２ディスプレイパネルのために提供することと；
第１カラーコレクションパラメータ及び第２画像データに応答して、第１のフレームを第１のＤＣ電流下でＬＣＤの第１のパネルモジュールに表示することと；
第２カラーコレクションパラメータ及び第３画像データに応答して、第２のフレームを第２のＤＣ電流下でＬＣＤの第２のパネルモジュールに表示することとを含む方法。
【請求項８】
第２画像データと第３画像データが同一であり、従って第１フレームと第２フレームが実質的に同一である請求項７に記載の方法。
【請求項９】
第１カラーコレクションパラメータと第２カラーコレクションパラメータが同一である請求項７に記載の方法。
【請求項１０】
第１のＤＣ電流と第２のＤＣ電流が同一である請求項７に記載の方法。
【請求項１１】
第２画像データと第３画像データが異なり、従って第１フレームと第２フレームが異なる請求項７に記載の方法。
【発明の詳細な説明】
【関連出願】
【０００１】
本願は、２００４年６月１０日に出願された台湾特許出願９３１１６７３８号の利益を主張するものであり、当該台湾特許出願の主題を参照することにより本明細書に援用する。
【発明の分野】
【０００２】
[0001]本発明は、概して液晶ディスプレイに関し、特には、マルチパネル液晶ディスプレイ及びこれを駆動する方法に関する。
【関連技術の背景】
【０００３】
[0002]液晶ディスプレイ（ＬＣＤ）は、薄く軽量で電磁放射量が少ない利点を有するため、近年徐々に普及している。図１は、一般的なＬＣＤを示す構成図である。ＬＣＤ１００は、インタフェース回路１０１及びＬＣＤモジュール１０２を含む。インタフェース回路１０１は、外部画像データ、例えばパーソナルコンピュータから出力された画像データを受信し、この画像データをデジタル画像データに変換し、このデジタル画像データを出力する。さらに、ＬＣＤモジュール１０２が、このデジタル画像データに従ってフレームを表示する。
【０００４】
[0003]外部画像データは、例えば、デジタルＤＶＩデータ、アナログＳビデオデータ、複合ビデオデータ、Ｄ−サブビデオデータなどである。インタフェース回路１０１は、外部画像データの大きさを調節し、次いでデジタル画像データを出力するためのスケーラＩＣ（図示せず）を含む。
【０００５】
[0004]ＬＣＤモジュール１０２は、制御回路１１０及びパネルモジュール１２０を含む。制御回路１１０はパネルモジュール１２０を駆動し、デジタル画像データに従ってフレームを表示させる。制御回路１１０は、タイミングコントローラ１１２、カラーコレクタ１１４、及び、ＤＣ−ＤＣパワーコンバータ１１６を含む。パネルモジュール１２０は、データドライバ１２２、スキャンドライバ１２４、及び液晶パネル１２６を含む。
【０００６】
[0005]タイミングコントローラ１１２はデジタル画像データを受信し、次いで、第１の画像データをデータドライバ１２２に出力する。カラーコレクタ１１４は、例えば複数のガンマ電圧を含むカラーコレクションパラメータを、データドライバ１２２に、液晶パネル１２６の特性に従って出力する。ＤＣ−ＤＣパワーコンバータ１１６は、パネルモジュール１２０のための電力としてのＤＣ電力を出力するためにある。
【０００７】
[0006]しかし、典型的なＬＣＤは１つのフレームしか表示できない。複数のフレームを同時に表示しようとすると複数のＬＣＤを購入しなければならず、コストが高くなりすぎる。
【発明の概要】
【０００８】
[0007]従って、本発明の目的は、同一のフレーム又は異なるフレームを表示するためのマルチパネル液晶ディスプレイ、及び、この液晶ディスプレイを駆動するための方法を提供することにある。
【０００９】
[0008]本発明は、上記の目的を、或るマルチパネル液晶ディスプレイ（ＬＣＤ）を提供することにより達成する。このＬＣＤは、インタフェース回路及びＬＣＤモジュールを含む。インタフェース回路は、第１の画像データを受信して第２の画像データを出力するために用いられる。ＬＣＤモジュールは、制御回路、第１のパネルモジュール及び第２のパネルモジュールを含む。制御回路は、タイミングコントローラ、カラーコレクタ及びＤＣ−ＤＣパワーコンバータを含む。タイミングコントローラは、第２画像データを受信し、第２画像データに従って第３の画像データ及び第４の画像データを出力するためにある。カラーコレクタは、第１のカラーコレクションパラメータ及び第２のカラーコレクションパラメータを出力するためのものである。ＤＣ−ＤＣパワーコンバータは、第１のＤＣ電力及び第２のＤＣ電力を出力するためのものである。第１パネルモジュールは第１のＤＣ電力下で動作可能であり、第１カラーコレクションパラメータ及び第３画像データに従って第１のフレームを表示する。第２パネルモジュールは第２のＤＣ電力下で動作可能であり、第２カラーコレクションパラメータ及び第４画像データに従って第２のフレームを表示する。
【００１０】
[0009]本発明は、別の目的を、マルチパネル液晶ディスプレイ（ＬＣＤ）を駆動するための方法を提供することにより達成する。この方法は、最初に第２の画像データを受信し、第２の画像データに応答して第３の画像データ及び第４の画像データを出力する。次いで、この方法は、第１のカラーコレクションパラメータ及び第２のカラーコレクションパラメータを出力する。この方法は、また、第１のＤＣ電力及び第２のＤＣ電力を出力する。次いで、この方法は、第１のフレームを、第１カラーコレクションパラメータ及び第３画像データに応答して、第１のＤＣ電流下でＬＣＤの第１のパネルモジュールに表示し、また、第２のフレームを、第２カラーコレクションパラメータ及び第４画像データに応答して、第２のＤＣ電流下でＬＣＤの第２のパネルモジュールに表示する。
【００１１】
[0010]本発明の他の目的、特徴及び利点は、好ましく且つ限定的でない実施形態を以下に詳細に説明することにより明らかになろう。以下の説明は添付図面を参照しつつ行う。
【本発明の詳細な説明】
【００１２】
[0015]図２は、本発明の好ましい実施形態に従うマルチパネルＬＣＤを示す構成図である。図２を参照すると、ＬＣＤ２００は、インタフェース回路２０１及びＬＣＤモジュール２０２を含む。インタフェース回路２０１は第１の画像データを受信し、第２の画像データをＬＣＤモジュール２０２に出力し、こうして第１のフレーム及び第２のフレームが表示される。
【００１３】
[0016]ＬＣＤモジュール２０２は、制御回路２１０、パネルモジュール２２０及びパネルモジュール２３０を含む。制御回路２１０は、第２画像データに従ってパネルモジュール２２０及びパネルモジュール２３０をそれぞれ駆動して、対応の第１フレーム及び第２フレームを表示させる。制御回路２１０は、タイミングコントローラ２１２、カラーコレクションユニット２１４、及びＤＣ−ＤＣパワーコンバータ２１６を含む。パネルモジュール２２０及び２３０の各々、例えば従来一般のパネルモジュールは、データドライバ、スキャンドライバ、及び液晶パネルを有するが、これらの部品はこの実施形態の図に示されていない。
【００１４】
[0017]タイミングコントローラ２１２は第２画像データを受信し、第３の画像データ及び第４の画像データを、第２画像データに従って出力する。カラーコレクタ２１４は、第１のカラーコレクションパラメータ及び第２のカラーコレクションパラメータを、パネルモジュール２２０及びパネルモジュール２３０の特性に従って出力する。第１カラーコレクションパラメータ及び第２カラーコレクションパラメータは、例えば複数のガンマ電圧を有し得る。ＤＣ−ＤＣパワーコンバータ２１６は、第１のＤＣ電力及び第２のＤＣ電力を、パネルモジュール２２０及びパネルモジュール２３０のための電力として出力する。パネルモジュール２２０は第１のＤＣ電力下で動作可能であり、第１フレームを、第１カラーコレクションパラメータ及び第３画像データに従って表示する。パネルモジュール２３０は第２のＤＣ電力下で動作可能であり、第２フレームを、第２及び第４のカラーコレクションパラメータに従って表示する。
【００１５】
[0018]本実施形態において、タイミングコントローラ２１２から出力される第３画像データと第４画像データが同一であるため、パネルモジュール２２０及びパネルモジュール２３０により表示される第１フレームと第２フレームは同一である。さらに、第１カラーコレクションパラメータと第２カラーコレクションパラメータが同一であり、第１のＤＣ電力と第２のＤＣ電力もまた同一である。本実施形態のＬＣＤは、２つのパネルモジュールのディスプレイを１つの制御ユニットのみを用いて制御できるため、ＬＣＤの製造コストを低減することができる。また、本実施形態は、２つのパネルモジュールを用いることに限定されない。２つより多いパネルモジュールを用いることも可能である。
【００１６】
[0019]図３は、本発明の別の好ましい実施形態に従うマルチパネルＬＣＤを示す構成図である。図３を参照すると、ＬＣＤ３００が、インタフェース回路３０１及びＬＣＤモジュール３０２を含む。インタフェース回路３０１は、第１の画像データを受信し、この第１画像データに従って第２の画像データをＬＣＤモジュール３０２に、第１のフレーム及び第２のフレームが表示されるように出力するためにある。
【００１７】
[0020]ＬＣＤモジュール３０２は、制御回路３１０、並びにパネルモジュール３２０及びパネルモジュール３３０を含む。制御回路３１０は、第２画像データに従ってパネルモジュール３２０及びパネルモジュール３３０をそれぞれ駆動して、第１フレーム及び第２フレームを表示させる。制御回路３１０は、タイミングコントローラ３１２、カラーコレクタ３１４、及びＤＣ−ＤＣパワーコンバータ３１６を含む。パネルモジュール３２０及びパネルモジュール３３０の各々、例えば、一般的なパネルモジュールは、データドライバ、スキャンドライバ及び液晶パネルを有するが、これらの部品はこの実施形態の図に示されていない。
【００１８】
[0021]タイミングコントローラ３１２は第２画像データを受信し、第２画像データに応答して第３の画像データ及び第４の画像データを出力する。カラーコレクタ３１４は、第１のカラーコレクションパラメータ及び第２のカラーコレクションパラメータを、パネルモジュール３２０及びパネルモジュール３３０の特性に従って出力する。第１のカラーコレクションパラメータ及び第２のカラーコレクションパラメータは、例えば、複数のガンマ電圧を有し得る。ＤＣ−ＤＣパワーコンバータ３１６は、第１のＤＣ電力及び第２のＤＣ電力を、パネルモジュール３２０及びパネルモジュール３３０のための電力として出力する。パネルモジュール３２０は第１のＤＣ電力下で動作可能であり、第１フレームを、第１カラーコレクションパラメータ及び第３画像データに応答して表示する。パネルモジュール３３０は第２のＤＣ電力下で動作可能であり、第２フレームを、第２カラーコレクションパラメータ及び第４のカラーコレクションパラメータに応答して表示する。
【００１９】
[0022]本実施形態においては、タイミングコントローラ３１２は、さらに、タイミングコントロールユニット３１８及びタイミングコントロールユニット３１９を含む。タイミングコントロールユニット３１８は、第２画像データに応答して第３画像データを出力し、これによりパネルモジュール３２０を制御する。タイミングコントロールユニット３１９は、第２画像データに応答して第４の画像データを出力し、これによりパネルモジュール３３０を制御する。第３画像データと第４画像データが異なり、そしてこれにより第１フレームと第２フレームが異なるように、第２画像データは２つの異なるフレームデータを含む。第１カラーコレクションパラメータと第２カラーコレクションパラメータは同一であり、第１のＤＣ電力と第２のＤＣ電力は同一である。本実施形態は、２つのパネルモジュールが、異なるフレームを１つの制御回路を用いて表示することを可能にするので、ＬＣＤのコストが低減され、且つＬＣＤが便利に用いられ得る。さらに、本実施形態は、２つのパネルモジュールを用いることに限定されない。２つより多いパネルモジュールを用いることも可能である
【００２０】
[0023]本発明の各実施形態に従うマルチパネルＬＣＤにおいて、同一の制御回路を用いて複数のパネルモジュールに対応し、これら複数のパネルモジュールを制御して同一のフレーム又は異なるフレームを表示する。こうして、製造コストを低減し、且つＬＣＤを小型化し得る。
【００２１】
[0024]図４は、第１のパネルモジュール、第２のパネルモジュール及びタイミングコントローラを有するマルチパネルＬＣＤを本発明の好ましい実施形態に従って駆動するための方法を示すフローチャートである。第１に、ステップ４１０において第２画像データがタイミングコントローラに提供され、次いで、ステップ４２０において、タイミングコントローラが第３画像データ及び第４画像データを、第２画像データに応答して出力する。次に、ステップ４３０において、第１のカラーコレクションパラメータ及び第２のカラーコレクションパラメータが提供され、ステップ４４０において、第１ディスプレイパネル及び第２ディスプレイパネルのために、それぞれ第１のＤＣ電力及び第２のＤＣ電力が提供される。次いで、ステップ４５０が行われ、第１カラーコレクションパラメータ及び第３画像データに応答して、第１のフレームを第１のＤＣ電力下で第１のパネルモジュールに表示する。同時に、ステップ４６０が行われ、第２カラーコレクションパラメータ及び第４画像データに応答して、第２のフレームを第２のＤＣ電力下で第２のパネルモジュールに表示する。
【００２２】
[0025]上記の駆動方法は、ＬＣＤモジュール２０２又はＬＣＤモジュール３０２に適用できる。この方法がＬＣＤ２０２に適用される場合、第１カラーコレクションパラメータと第２カラーコレクションパラメータが同一であり、第３画像データと第４画像データが同一であるため、第１パネルモジュールに表示されるフレームと第２パネルモジュールに表示されるフレームとは実質的に同一である。
【００２３】
[0026]この方法がＬＣＤ３０２に適用される場合には、第１カラーコレクションパラメータと第２カラーコレクションパラメータ、第３画像データと第４画像データが同一でないため、第１パネルモジュールに表示されるフレームと第２パネルモジュールに表示されるフレームとは実質的に異なる。
【００２４】
[0027]本発明を、例として、また、好ましい実施形態に関して記載してきたが、本発明がこの実施形態に限定されないことが理解されよう。むしろ、本発明が様々な変更及び類似の配列及び手順を包含することが意図されており、従って、添付の特許請求の範囲に、このような変更および類似の配列及び手順を包含するように最も広範な解釈が与えられるべきである。
【図面の簡単な説明】
【００２５】
【図１】従来一般のＬＣＤを示す構成図である。
【図２】本発明の好ましい実施形態に従うマルチパネルＬＣＤを示す構成図である。
【図３】本発明の好ましい実施形態に従うマルチパネルＬＣＤを示す構成図である。
【図４】マルチパネルＬＣＤを駆動するための方法を示すフローチャートである。
【符号の説明】
【００２６】
２００…ＬＣＤ、２０１…インタフェース回路、２０２…モジュール、２１０…制御回路、２１２…タイミングコントローラ、２１４…カラーコレクションユニット、２１４…カラーコレクタ、２１６…ＤＣ−ＤＣパワーコンバータ、２２０，２３０…パネルモジュール、３００…ＬＣＤ、３０１…インタフェース回路、３０２…モジュール、３１０…制御回路、３１２…タイミングコントローラ、３１４…カラーコレクタ、３１６…ＤＣ−ＤＣパワーコンバータ、３１８，３１９…タイミングコントロールユニット、３２０，３３０…パネルモジュール。
【図１】
2005352450.tif 000003
【図２】
2005352450.tif 000004
【図３】
2005352450.tif 000005
【図４】
2005352450.tif 000006